(57)【特許請求の範囲】
【請求項１】
ユーザの外耳道内に挿入され，上記外耳道の内側部分と周囲との間に音響分離を提供するように構成されるイヤーピースであって，
ステムおよびシュラウドを備えるイヤーチップを備え，上記ステムが音出力口を備える音管を規定し，上記シュラウドが柔軟な弾性材料からなる概略球形の中空のバルブを有しており，上記バルブが，外耳道への挿入が意図される方向に概略的に沿う軸，音出力口，滑らかな外面を備える概略環状の第１の端部ゾーン，内側表面ゾーンと反対側の滑らかな外面を備える概略環状の第２の端部ゾーン，および上記第１の端部ゾーンおよび第２の端部ゾーンの中間の中央ゾーンを有しており，上記中央ゾーンが，適切な構造設計によって，第１の端部ゾーンおよび第２の端部ゾーンよりも，外耳道壁に接触することによる圧縮に対して柔軟性を持つように構成され，
上記中央ゾーンが，上記軸に概略平行にのびるプリーツを備える壁部を備えている，
イヤーピース。
【請求項２】
適切な構造設計による上記中央ゾーンの構成が，壁厚のテーパリング，プリーツまたはベローズの形状，または適切な柔らかさの材料の選択のいずれか一つによって提供される，請求項１に記載のイヤーピース。
【請求項３】
上記プリーツが，上記第１の端部ゾーンおよび第２の端部ゾーンの間の中間地点において最も深く，上記第１の端部ゾーンおよび上記第２の端部ゾーンに近づくにつれて次第に浅くなっている，請求項１に記載のイヤーピース。
【請求項４】
上記バルブが，上記プリーツ中の谷部の間のスペースに掛け渡されるウェブを備え，上記谷部に沿う空気の通路をシールする，請求項１に記載のイヤーピース。
【請求項５】
上記バルブが，外耳道壁に対してシールするための円周状の低い隆起部を上記中央ゾーンに備えている，請求項１に記載のイヤーピース。
【請求項６】
上記バルブの第２の端部ゾーンが下部開口を規定しており，上記バルブが上記下部開口周囲において構造的に補強されている，請求項１に記載のイヤーピース。
【請求項７】
上記ステムがスピーカ用音導管を取り付けるように構成されている，請求項１に記載のイヤーピース。
【請求項８】
上記バルブが上記音出力口に隣接する上記バルブ内に開口するベントを備えている，請求項１に記載のイヤーピース。
【請求項９】
上記バルブが10〜90ショアＡの範囲の硬さを持つシリコンゴム材料から構成されている，請求項１に記載のイヤーピース。
【請求項１０】
上記バルブが30〜50ショアＡの範囲の硬さを持つシリコンゴム材料から構成されている，請求項１に記載のイヤーピース。
【請求項１１】
上記バルブのステムが70〜90ショアＡの範囲の硬さを持つシリコンゴム材料から構成されている，請求項１に記載のイヤーピース。
【請求項１２】
上記バルブのシュラウドが10〜40ショアＡの範囲の硬さを持つシリコンゴム材料から構成されている，請求項１に記載のイヤーピース。
【請求項１３】
コア構造およびスピーカを備え，上記コア構造が上記スピーカを保持し，かつ第１の端部ゾーンに隣接する上記バルブに取り付けられており，上記コア構造が上記バルブ下部ゾーンの軸方向の動きを制限しないように構成されている，請求項１に記載のイヤーピースを備えるイヤープラグ。
【請求項１４】
請求項１に記載のイヤーピースを備えている，補聴器。
【請求項１５】
請求項１に記載のイヤーピースを備えている，通信機器用構成要素。
【発明の詳細な説明】
【技術分野】
【０００１】
この発明は，イヤーピース用イヤーチップ（an ear tip for an ear piece）に関する。より詳細にはこの発明は補聴器用イヤーチップに関する。この発明はさらに，フレキシブル・イヤーチップを備えるイヤープラグを有する補聴器に関する。この発明はまた，イヤーチップを備える通信装置に関する。より詳細には，この発明は，耳内型（In-the Ear style）補聴器用，レシーバ耳内型（Receiver-In-The-Ear）補聴器用，耳掛け型（Behind-The-Ear）（ＢＴＥ）補聴器用，または通信装置用フレキシブル・イヤーチップに関する。
【背景技術】
【０００２】
本願の開示において，イヤーピースは，人の耳内に挿入されるのに適しており，かつ外耳道内に音響力（acoustic power）を伝え，かつ周囲からの音に対して上記外耳道を遮蔽（シールド）するように構成されるプラグまたは同様の構造として理解される。上記音響力は典型的にはイヤーピース内に配置される，またはイヤーピースから離れて配置される電気音響トランスデューサから導出される。音響信号は，聴覚の増強，コミュニケーションまたはたとえば音楽再生等の娯楽を目的とすることができる。
【０００３】
本願の開示において，補聴器は，聴覚障がい者によって人の耳の後ろにまたは耳の中に装着されるように設計された，小さい，電池駆動の，小型電子機器として理解される。補聴器は，一または複数のマイクロフォン，電池，ユーザのニーズに沿うように適合された増幅を提供するように構成される信号処理装置を備える小型電子回路，および音響出力トランスデューサ（補聴器用語において多くの場合レシーバと呼ばれるもの）を備える。上記信号処理装置は好ましくはデジタル信号処理装置である。補聴器は人の耳の後ろにまたは耳の中にフィットするのに適するケース内に収められる。
【０００４】
補聴器は多くの場面でスタイルによって区分され，特に耳の後ろにフィットする筐体内に電子回路およびスピーカを有し，音響力をイヤーピースにガイドする音管を備える補聴器であるＢＴＥ（Behind-The-Ear）型，耳の後ろにフィットする筐体内に電子回路を有しており，出力トランスデューサを収納するイヤーピースにケーブルによって接続される補聴器であるＲＩＴＥ（Receiver-In-The-Ear）型，耳内たとえば外耳内または外耳道内にフィットする集積筐体であるＩＴＥ（In-The-Ear）型がある。これらそれぞれの補聴器スタイルは，外耳道の入り口に正しく音出力口を保持するためのなんらかのイヤーチップを必要とする。
【０００５】
使用に先立ち，補聴器は，処方にしたがって補聴器フィッタによって調整される。上記処方は聴覚テストに基づき，その結果は聴覚障がい者の裸耳聴能を示すオージオグラムにおいてあらわされる。上記処方は，ユーザが聴覚欠損を蒙っている可聴周波数範囲部分の周波数の音を増幅することによって補聴器が聴覚損失を緩和することができる設定に達するように構築される。
【０００６】
上記音響出力は出力トランスデューサによって再生され，導管（conduit）または開口を通じて外耳道内に放出される。イヤーチップは導管を所定の位置に保持（維持）し，これによって導管が外れてしまうことを防止し，かつ外耳道内の壁に接触することによって開口が塞がれてしまうのを防止するのに役立つ。イヤーチップは，可能な限り音響導管を開いた状態で，トランスデューサの内部への耳垢および湿気の侵入をトラップまたはブロックするのに役立つ，音出力部におけるたとえばグリッドまたは回旋形状といった特定の手段（方策）を特徴とすることができる。
【０００７】
イヤーチップはさらに，外耳道の内側部分と周囲との間の音響分離（acoustic insulation）を提供すべきである。しかしながら，さまざまな理由（非増幅音を聞くことができるようにするバイパス，圧力調整，湿度制御および一般的なユーザの快適さ）のために，プラグに意図的に組み込まれる，通常は通路の形状のベント（通気口）を含むことがある。理想的にはベントは特定ユーザのニーズに対して慎重に校正されるべきである。ベントは増幅された音響力を必然的に失わせ，かつ増幅音が補聴器のマイクロフォンにループバックする突発的なリスクを有する音漏れを引き起こし，さらに増幅されると不安定なフィードバック状況につながる可能性がある。
【０００８】
軽度（mild）の聴覚損失のユーザ，したがって低いゲイン設定のユーザは，自分自身の話し声による圧力蓄積を軽減しかつ直接音を聞くことができるようにするために大きなベントを好むことがあり，これは周波数範囲の一部において良好な聴覚を維持する場合に有用である。重度（profound）の聴力損失のユーザ，したがって高いゲイン設定を持つユーザは，不安定なフィードバックを回避し，音響力の損失を避けるために，小さなベントさらには閉じたベントを好む傾向があり，高ゲイン設定の場合，過剰な自分の音声レベルの問題は適切な自動ゲイン調整によって十分に処理される。
【０００９】
イヤープラグが完成すると通常はベントが固定されるので，特定ユーザ用に通路長さと通路ルーメン（管腔）（the length and lumen of the passage）に関する設計選択を行って，これらを考慮した最適バランスをとらなければならない。最新の補聴器は，特定のベントサイズおよびフィードバックゲイン制限におけるその影響，音響力の損失，近傍者への音漏れ，ならびに直接音と増幅音との混合（mixing）を考慮して調整することができる。
【００１０】
ＷＯ−Ａ１−２００６０９４５０２は，音出力開口を有する本体部を備える補聴器用イヤープラグを開示する。上記イヤープラグはまた，外耳道の壁に係合して上記本体部を取り囲むように構成されるカラーを有している。
【００１１】
ＵＳ３９３５４０１は，管状ハブを有し，上記ハブの端部において中央通路の周りにフランジを備えるイヤーピースを提供するもので，放射スロットまたはウェブによって互いに分離された放射リブを備えている。
【００１２】
ＥＰ−Ａ１−１５９４３４０は，基部および上記基部に取り付けられた側壁を備え，実質的に上記基部からイヤーピースの開口に伸びるエッジを有するフレキシブル・イヤーモールド・フィッティングを提供する。
【００１３】
ＵＳ−Ｂ２−９０９４７５６は，ユーザの耳内に挿入されて用いられる柔軟要素を含み，柔軟要素が変形してユーザの耳内にイヤーピースを保持するイヤーピースを提供する。上記柔軟要素は，イヤピース・ハウジング上に折り畳まれる外側部分を含むことができる。
【００１４】
ＵＳ７６０２０３３は，ユーザの外耳道にフィットするように寸法づけられる柔軟材料から作られた概略円錐形物を含むイヤーピース装置を提供する。上記イヤーピースを通じてのびるカナルが，人の内耳と上記人の耳の外側環境の間の通信を提供する。上記イヤーピースは十分な外圧が加えられたときに，コーンを可逆的に折り畳んで星状構成にするのを容易にするために設けられた複数の折り線を有している。
【００１５】
ＷＯ−Ａ２−０２０７８３９２は，シェルを備える補聴器ハウジングを作成する方法を提供するもので，上記シェルは外耳道に対してカスタマイズされ，さらに上記シェルを少なくとも部分的に取り囲む締付け輪郭を備えている。
【００１６】
ＷＯ−Ａ１−２０１４１４６７０２は，耳掛け部，外耳道部およびケーブルを備える補聴器を提供する。上記ケーブルは上記外耳道部の側壁に取り付けられ，かつ上記側壁から軸に対して２０〜７０°の間の角度でのびている。上記外耳道部の外端は耳珠部において外耳に当接し，他方，上記ケーブルは耳甲介，耳珠または耳輪において外耳に当接する。これによって外耳道部分の非常に安定した位置決めが達成され，咀嚼または会話のときの外耳道部分の横方向の移動が防止される。
【００１７】
ＥＰ−Ａ２−２１９２７８９は，本体ユニットの貫通孔の方向に形成された切断部分を有するキャップ部分を有するイヤーピースを提供する。上記イヤーピースの切断部分が上記キャップ部分に貫通孔を形成する。
【００１８】
人の外耳道（ear canal）（external auditory meatus）は，外耳道の開口（aperture）（opening）から鼓膜（tympanic membrane）（eardrum）まで延びている。外耳道は，鼓膜に近い内端から外端道（lateral outer meatus）に向かって徐々に広がっている。上から見るとわずかにＳ字形である。断面は楕円形である。壁の一部は顎の骨の動きに関連する動きの影響を受ける。しかしながら，サイズと形状において個々人間に大きなばらつきがある。
【００１９】
イヤーピースの分野おいて，サイズの選択，およびさほどではないが形状の選択が標準的なやり方である。カスタマイズされていないピースは一般にインスタントフィット（instant-fit）と呼ばれている。
【００２０】
ぴったり合うようにするために，個々人の外耳道の型（impression）に基づいてカスタマイズされた形状（カスタムフィット）を提供することも標準的なやり方である。カスタムフィットのイヤーピースの提供には，インスタントフィットのイヤーピースを提供するよりもより複雑な工程を必要とする。それでも，外耳道は固定的構造ではないので，カスタムフィットのイヤープラグはすべての問題に対応できるわけではない。
【００２１】
発明者は，インスタントフィットのプラグの性能が予想よりも低い可能性があることを発見した。外耳道のトリッキーな形状，たとえばねじれ，または多少の明白な楕円形が円形のプラグ形状によって密封することを本質的に困難にする。プラグの半径方向に突出するスカートは，外耳道壁によって圧縮されると，不規則なプリーツまたは折り目を形成しやすく，空気漏れを引き起こすことがあり，取り外すときには後ろ向きに折り畳まれやすく，取り外すときの不快感を引き起こし，再度挿入する前にスカートを真っ直ぐにすることをユーザに強いる。
【００２２】
未制御の漏れは，たとえばフィードバック，音響パワーの損失，増幅音と直接音の不十分な混合など，問題を引き起こすことがある。
【００２３】
スカートにスリットを付けたり，放射状のリブに分割したりすることで，幅広い範囲の外耳道サイズに対応可能であるが，リブの間のスリットやスペースは音響シールの効果を無くすオープンスペースを残すことがある。さらに，折り目，リブおよびエッジは，かゆみ感またはくすぐり感を生じさせる危険のために好まれないことがある。これは，外耳道壁が顎の骨とともに動くこととの兼ね合いでイラつかせることがあり，外耳道に挿入されるあらゆる物体に作用する。
【００２４】
上記外耳道のＳ字形によってイヤーピースの先端が斜めになり，音声出力口が狭くなったり（obscured），突出するフランジ・シールが外耳道壁を適切にシールしなくなったりすることがある。突出するフランジを備えるイヤーピースはフランジの一部が折りたたまれた状態で外耳道に入るとバイパス開口を残すことがある。
【発明の開示】
【００２５】
第１の観点において，この発明は請求項１に記載のイヤーチップを提供する。
【００２６】
ここで，内側（medial）および外側（lateral）という用語は，人の耳に挿入されたときのイヤーチップの方向を意味する。すなわち，内側は頭部の中心面（median plane）に向かう方向，つまり鼓膜に向かう方向であり，他方，外側は頭部の中心面から離れる方向である。イヤーチップの中央ゾーン（mid zone）の柔らかい特性は，適切な構造設計，たとえば壁厚のテーパリング，プリーツやベロー形状の配置，または適切な柔らかさの材料（素材）の選択によって達成することができる。
【００２７】
圧縮に対して上記中央ゾーンを柔らかくする（柔軟性を持たせる）ことは，外耳道壁に加わる圧力に対してイヤーチップが非常に柔らかく，したがって挿入時および通常着用時にユーザにとって快適であることを意味する。内側ゾーンおよび外側ゾーン（これらをまとめて端部ゾーンと言う）は中央ゾーンよりも圧縮に対して柔らかくない（less soft to compression）。しかしながら，バルブ（bulb）が概略球形であるので，端部ゾーンに小さい直径を持たせることができ，したがって中央ゾーンほどには圧縮する必要はなく，これにより外耳道に不快な圧力がかかる可能性は低くなる。端部ゾーンのやや頑丈な構造は，イヤーチップの挿入を容易にし，被験者パネルによって裏付けられた所見では，外耳道のねじれや曲がりを通じてイヤーチップを快適にナビゲートする傾向があると報告されている。被験者はさらに，新しいイヤーチップは装着中に外れにくく，外耳道へのしっかりとした収まりを達成すると報告している。
【００２８】
上記バルブは，内側ゾーン，中央ゾーン，外側ゾーン，またはこれらの任意の組み合わせにおいて，外耳道壁に対してシール（密閉）することができる。
【００２９】
一実施形態では，上記軸に概略平行に延びるプリーツ（ひだ）（pleats）を備える中央ゾーンが提供される。これによって上記バルブは上記中央ゾーンの実質的な圧縮を受け入れることができる。
【００３０】
中央ゾーンにおいてプリーツを最も深くし，かつ両端部ゾーンに向かって浅くする（先細りにする）（テーパリング・オフ）ことによって，急激な変化を示さないように圧縮に対する復元力が較正される。
【００３１】
プリーツ中の谷間にウェブを掛け渡す（making webs across the valleys in the pleats）ことによって，最適な遮音性（optimal acoustic insulation）のために，空気の軸方向の通路（axial passage of air）に対して上記谷間がシールされる。
【００３２】
一実施態様では，上記バルブは，外耳道壁に対してシールするための円周状の低い隆起部（a circumferential low ridge）を中央ゾーンに備えている。これによって円周方向のシーリングゾーンが確立され，両端部ゾーンによるシーリング効果が補完される。人の外耳道は通常曲がっており，シーリング領域の一部がイヤーピースの軸に対して斜めに方向付けられることで耳道壁に対して漏れが生じやすくなるので，３つの円周方向のシーリングゾーンを有することは重要である。
【００３３】
一実施態様では，上記バルブは外側開口の周囲において補強される。上記補強は，壁厚を増すことによって，支柱（struts）を追加することによって，または他の構造的手段によって実施することができ，外側ゾーンの圧縮柔軟性を低下させる。これによってこの部分が開口を有している，すなわちコア構造に固定されていないまたは補強されていず，軸方向に自由に膨張して空気用の通路を残す場合でも，適切な弾力性が外側ゾーンに確保される。上記補強はまた，外耳道からイヤーチップを取り外すときにシュラウド（shroud）が後方に曲がるのを防止する。
【００３４】
さらなる有利な特徴は従属請求項から明らかにされる。
【００３５】
第２の観点において，この発明は請求項１４に記載のイヤープラグを提供する。
【００３６】
第３の観点において，この発明は請求項１５に記載の補聴器を提供する。
【００３７】
第４の観点において，この発明は請求項１６に記載の通信装置用構成要素（a component）を提供する。
【００３８】
この発明のさらに他の目的は，この発明をより詳細に説明する以下の記載から当業者に明らかにされよう。
【００３９】
一例として，この発明の実施態様を示しかつ記載する。当然ではあるが，この発明は他の様々な実施態様が可能であり，そのいくつかの詳細は，この発明から逸脱することなく，さまざまな，明白なすべての観点において修正可能である。すなわち，図面および明細書は本質的に例示にすぎず，限定をするものではない。
【図面の簡単な説明】
【００４０】
【図１】外耳道を通る人の頭部の一部水平断面図を，従来技術によるイヤーピースとともに示す。
【図２】外耳道を通る人の頭部の一部水平断面図を，この発明の一実施態様によるイヤーピースとともに示す。
【図３】この発明の第１の実施態様によるイヤーチップを示すもので，側面および上面を示す。
【図４】図３に示すイヤーチップを示すもので，側面および底面を示す。
【図５】この発明の一実施態様によるイヤーピースを，接続されたケーブルとともに示す。
【図６】軸を通るイヤーピースの平面断面図であり，ケーブルも示す。
【図７】図３のイヤーチップの平面図であり，赤道直下の軸に垂直に，下から見たものである。
【図８】この発明の第２の実施態様によるイヤーチップを示すもので，側面および上面を示す。
【図９】イヤーピースを備える補聴器を示す。
【実施例】
【００４１】
はじめに図１を参照して，図１は，外耳道を通る人の頭部の一部水平断面図を，一般的な従来技術によるイヤーピース５とともに示している。図示するイヤーピースは，２つの環状コーン（annular cones）６を有するコア（core）を備えている。外耳道２は外耳３と鼓膜４の間においてＳ字形を有している。図１は，Ｓ字形の曲がりによって，内側のシュラウド（inner shroud）が外耳道の片側に強く押し付けられ，他方反対側の外耳道壁に接触していない状態を示している。外側のシュラウドは大きく圧縮されてコーンは符号７において折り畳まれている。コーンのエッジにおける圧力点は，たとえば咀嚼中にユーザに不快感を引き起こす可能性がある。接触圧の欠如または折り畳みは漏れを生じさせる可能性がある。
【００４２】
外耳道には様々なサイズおよび形状がある。サイズ選択したインスタントフィットのイヤーピースを供給することが標準的なやり方である。フィットは様々な結果になる場合がある。しかしながら，発明者は問題が拡大していることを発見したものである。
【００４３】
図２を参照して，図２は外耳道を通る人の頭部の一部水平断面を，この発明の一実施態様によるイヤーピース８とともに示している。上記イヤーピースはイヤーチップ９およびコア固定具またはハブ（core fixture or hub）15を備え，コア固定具またはハブがケーブル18によって補聴器（図示略）に接続される。上記イヤーチップ９はシュラウド（shroud）21を有している。上記シュラウドは鋭いエッジのない丸く膨らんだ形状（bulbous shape without sharp edges）を有しており，外耳道に柔軟に適応する。
【００４４】
次に図３を参照して，図３はこの発明の第１の実施態様によるイヤーチップ９を示すもので，ここでは外耳道の内側に向けられることが意図された側部および端部を示しており，ここではこれを上端部（top end）と略称することにする。図３には，シュラウド21，ウエストバンド（waistband）27，音出力口11，ラグ（取っ手）12およびベント（複数）（vents）13が示されている。上記シュラウドは概略球状のもので，ウエストバンド27の両側にのびるバンド中にプリーツ（pleats）32を備えている。
【００４５】
図４を参照して，図４もこの発明の第１の実施態様によるイヤーチップ９を示すもので，ここには外耳道内にあるときに外側に向けられることが意図された側部および端部を示しており，ここではこれを下端部（bottom end）と略称することにする。図４には，ラグ12，シュラウド21，ウエストバンド27，およびバルブ下部開口30が示されている。
【００４６】
次に図５を参照して，図５はこの発明の第１の実施態様によるイヤーチップ９をケーブル18とともに示している。図５にも，シュラウド21，ウエストバンド27，バルブ下部開口30，さらにはスピーカ17の一部が示されている。
【００４７】
ここで図６を参照して，図６は軸19を通るイヤーピースの平面断面図である。図６には，シュラウド21，ウエストバンド27，音出力口11，ラグ12，ベント13，スピーカ17，ケーブル18およびバルブ下部開口30を備えるイヤーチップ９が示されている。
【００４８】
上記音出力口11にはラグ12が掛け渡され（架橋され）（ブリッジされ）ており，ラグ12は両反対側に開口し，ブリッジ側部開口（bridge side openings）を外耳道壁から離間させる。ベント13は上記バルブの内部にまで開いており，そこから下部開口30を介して周囲に通じている。上記ベントはブリッジ側部開口から間隔をあけて配置されており，耳垢が蓄積して開口の共通封鎖（a common blockade of the openings）が確立されることで音響短絡が発生するリスクを回避する。
【００４９】
イヤーチップの場合，軸19は一般に回転対称軸を構成する。
【００５０】
図６の断面はさらに，コア固定具またはステム15，耳垢ガード16，スピーカ17からの音導管の取付けおよび耳垢ガードを保持するように構成されたソケット10，イヤーチップ内端（ear tip medial end）22，およびイヤーチップ外端（ear tip lateral end）23といったいくつかの内部詳細を示している。
【００５１】
イヤーチップに用いられる材料は，硬度（硬さ）が10〜90ショアＡの範囲，たとえば30〜50ショアＡの範囲にある，柔らかく弾力のあるシリコンゴムである。
【００５２】
この実施態様の変形例では，上記バルブのステム部分は硬度が70〜90ショアＡのシリコンゴム材料から構成され，他方上記バルブのシュラウド部分は硬度が10〜40ショアＡのシリコンゴム材料から構成される。
【００５３】
概略球形のイヤーチップは，地球に関連する命名法を用いておそらく最も簡単に指定される複数のゾーンから構成される。上記ラグ12（完全な中心点，すなわち外耳道に押し込まれるときにイヤーチップを導く点）が北極を示す。次に北部温帯ゾーン24，熱帯ゾーン26および南部温帯ゾーン28が続き，他方においてさらに南の部分は開口している（open）。北部温帯ゾーンはバルブ上部平行線（北回帰線）25によって熱帯ゾーンから区分される。南部温帯ゾーンはバルブ下部平行線（南回帰線）29によって熱帯ゾーンから区分される。
【００５４】
外側において上記シュラウドは，北部温帯ゾーンおよび南部温帯ゾーンでは滑らかかつ球形であるが，熱帯ゾーンにはプリーツを有している。上記プリーツは軸に平行に走り，赤道において最大深さに達し，北および南に向かうにつれて浅くなり（先細りになり），上下の平行線において消滅する。上記シュラウドは上記熱帯ゾーンにおいて最も柔らかく，プリーツによって，外部の軸方向の圧力に対して，柔軟に，周辺的かつ放射状に，たわむことができる（the pleats permit it to yield softly, peripherally and radially, to external axial pressure）。上記シュラウドは南端において拘束されていず，この構造によって外部圧力の下において軸方向にも拡張可能である。
【００５５】
北部熱帯ゾーンは弾力性があるが，北極ゾーン（the north polar zone）では上記コア固定具15によって補強されている。南平行線において，上記シュラウドは内部のビード20による壁構造によって補強されている。上記補強は，球状を維持するのに役立ち，かつ上記イヤーチップを取り外す操作中に，外耳道壁に対する摩擦によって上記シュラウドが後方に折り畳まれるのを防止する。
【００５６】
次に図７を参照して，図７は，イヤーチップ８の平面断面図を，赤道27の直下において軸19に垂直に示すもので，下側から見たものである。図７はプリーツ32を示しており，プリーツは，対に配置され，谷部（valleys）33，狭い隆起部（narrow ridges）34，および周囲に整列されたやや広がりをもつプリーツ外面（pleat outer faces）35を含む。図７はさらにベント13およびコア固定具15を示している。赤道にはわずかに盛り上がったリムの形状のウエストバンド27が示されている。上記リムは外側において円形であり，一体のウェブ（integral webs）31が谷部をまたがっており，上記ウェブが空気の縦方向の通路に対して上記谷部を塞ぐ（close off）。
【００５７】
外耳道は直径６〜14mmの範囲と推定することができる。上記イヤーチップは，外耳道の特定形状，個々人の圧力に対する感受性などの状況に応じて，定格フルサイズの直径の60または80％の直径まで（down to a diameter of a diameter of 60 or 80 ％ of the rated full size diameter）の外耳道サイズの範囲をカバーすると推定される。すなわち，適切にずらした約３〜７のサイズの選択によって，ユーザに十分に対応することができる。
【００５８】
図８を参照して，図８はこの発明の第２の実施態様によるイヤーチップ36を示すもので，図３と同様の角度から見たものである。この実施態様は，第１の実施態様よりも広くかつ長い谷部を有するプリーツを特徴とする。熱帯ゾーン（複数）（tempered zones）はこれに対応して短くなっている。
【００５９】
赤道において，谷部はウェブによって掛け渡され（架橋され，橋渡しされ），ウェブは菱形ボス37に広がっており（expand into rhombic bosses 37），ウエストバンドを支持している。上記赤道の両側に，空気の軸方向の通過に対して谷部を密封する（シールする）ために谷部に掛け渡される傾斜ウェブ38が存在する。その他の詳細は第１の実施態様に関して説明したものと同様である。
【００６０】
最後に図９を参照して，図９はイヤーチップ９を備えるイヤーピース８を有する補聴器１を示しており，上記イヤーピースはケーブル18によって補聴器の残部に接続されている。実際の実装は当業者には明らかであろう。
【００６１】
変形例において，上記イヤーピースは，電話，通信装置，または音楽プレーヤ用のヘッドセットに関連して利用可能とされる。変形例の実装は当業者には明らかであろう。
【図１】
0006898472.tif 000002
【図２】
0006898472.tif 000003
【図３】
0006898472.tif 000004
【図４】
0006898472.tif 000005
【図５】
0006898472.tif 000006
【図６】
0006898472.tif 000007
【図７】
0006898472.tif 000008
【図８】
0006898472.tif 000009
【図９】
0006898472.tif 000010